(57)【特許請求の範囲】
【請求項１】
互いに嵌合可能な雌雄一対のコネクタハウジングを備えてなり、
雌側のコネクタハウジングには雌端子金具を収容するための複数のキャビティが形成されており、雄側のコネクタハウジングには前記雌端子金具と接続される複数のタブ状端子が配されてなり、
前記雌側のコネクタハウジングはその嵌合方向と交差する方向に複数のブロックに分割され、且つ、前記各ブロックはその外面に互いに係合可能な係合部又は係合受け部が形成されることで合体可能に形成されており、前記雌雄の両コネクタハウジングは前記各ブロックが合体した状態で嵌合するようになっているコネクタであって、
前記各ブロックが合体した状態の前記雌側のコネクタハウジングにおいて、前記雄側のコネクタハウジングとの嵌合面のうち前記各ブロック同士の境界面が位置する部位には、前記タブ状端子が進入可能なタブ状端子挿通路の一端が開口するとともに、このタブ状端子挿通路は前記開口から嵌合方向後方へ向けて前記係合部及び前記係合受け部にまで及ぶ長さをもって延出形成され、前記両コネクタハウジングが正規嵌合した状態において、前記タブ状端子の先端と、前記タブ状端子挿通路の奥壁とは干渉しないようになっていることを特徴とするコネクタ。
【請求項２】
前記係合部は前記雌側のコネクタハウジングの嵌合方向と略直交する方向に延びるアリ溝であり、前記係合受け部は前記アリ溝に嵌り込む突条であることを特徴とする請求項１記載のコネクタ。
【請求項３】
互いに合体可能な前記ブロックのうち、一方のブロックには前記アリ溝に通じるようにアリ溝側タブ状端子挿通路が形成されており、他方のブロックには前記突条に突条側タブ状端子挿通路が形成されており、
前記各ブロックが合体することで、前記アリ溝側タブ状端子挿通路と前記突条側タブ状端子挿通路とが連通して前記タブ状端子挿通路が形成されるようになっており、
前記各ブロックには、前記各ブロックが合体した状態において、前記アリ溝側タブ状端子挿通路と、前記突条側タブ状端子挿通路とを整合させるための位置決め部が形成されていることを特徴とする請求項２記載のコネクタ。
【発明の詳細な説明】
【技術分野】
【０００１】
本発明は、コネクタに関する。
【背景技術】
【０００２】
コネクタとしては、互いに嵌合可能な一対のコネクタハウジングを備えてなり、一方のコネクタハウジングには端子金具を収容するための複数のキャビティが形成されており、他方のコネクタハウジングには端子金具と接続するタブ状端子が配されてなるものが知られている。このものにおいて両コネクタハウジングを嵌合させると、タブ状端子がキャビティ内に進入して端子金具と接触し、これにより両コネクタハウジングが電気的に接続されるようになっている。この種のコネクタとして、一方のコネクタハウジングが単一の部材より形成されてなる、いわゆる一体式のものが知られている。
【０００３】
ところで、自動車におけるワイヤーハーネスでは複数の異なる回路をコネクタを介して一つの回路へ接続する場合がある。この場合、一方のコネクタハウジングには複数の回路が配線されることになる。すると、配線経路や長さの異なる電線を一つのコネクタハウジングに接続しなければならないから配線作業が面倒になる。そこで、一方のコネクタハウジングを複数のブロックに分割していわゆる分割式とすることで、電線の配線作業は分割した各ブロックに対して各回路ごとに独立して行えるようにし、これにより配線作業を容易にするものがある。この種のコネクタとして特許文献１に記載のものが挙げられる。
【０００４】
さらに、特許文献１に係るコネクタにおいては、一方のコネクタハウジングを形成する各ブロックの外面には、アリ溝又はアリ溝に嵌合可能な突条を形成することで、各ブロックを合体させた状態で両コネクタハウジングの嵌合作業を行うようになっている。これにより、両コネクタハウジングの嵌合作業中に各ブロックがばらばらに離れてしまうことを防止できる。これにより作業者は、各ブロックが離れないように押さえつけながら嵌合作業をしなくてもよいから、作業効率が向上する。
【特許文献１】特開平１０−１０６６７０号公報
【発明の開示】
【発明が解決しようとする課題】
【０００５】
しかしながら上記の構成によると、一方のコネクタハウジングのうちアリ溝又は突条が形成された領域には、端子金具を挿入するためのキャビティを形成できない。この場合に両コネクタハウジングを嵌合させようとすると、アリ溝又は突条が形成された領域と対応する位置に配されたタブ状端子の先端は、一方のコネクタハウジングの嵌合面と干渉してしまう。このため、他方のコネクタハウジングにおいては、アリ溝又は突条が形成された領域に対応する位置にはタブ状端子を設けない構成としなければならない。すると、他方のコネクタハウジングは分割式に形成された一方のコネクタハウジングに対して専用化してしまい、一体式に形成された一方のコネクタハウジングに対して使用することができない。
【０００６】
本発明は上記のような事情に基づいて完成されたものであって、一体式に形成された一方のコネクタハウジング及び分割式に形成された一方のコネクタハウジングの双方に対して、他方のコネクタハウジングを共用可能なコネクタを提供することを目的とする。
【課題を解決するための手段】
【０００７】
上記の目的を達成するための手段として、請求項１の発明は、互いに嵌合可能な雌雄一対のコネクタハウジングを備えてなり、雌側のコネクタハウジングには雌端子金具を収容するための複数のキャビティが形成されており、雄側のコネクタハウジングには前記雌端子金具と接続される複数のタブ状端子が配されてなり、
前記雌側のコネクタハウジングはその嵌合方向と交差する方向に複数のブロックに分割され、且つ、前記各ブロックはその外面に互いに係合可能な係合部又は係合受け部が形成されることで合体可能に形成されており、前記雌雄の両コネクタハウジングは前記各ブロックが合体した状態で嵌合するようになっているコネクタであって、前記各ブロックが合体した状態の前記雌側のコネクタハウジングにおいて、前記雄側のコネクタハウジングとの嵌合面のうち前記各ブロック同士の境界面が位置する部位には、前記タブ状端子が進入可能なタブ状端子挿通路の一端が開口するとともに、このタブ状端子挿通路は前記開口から嵌合方向後方へ向けて前記係合部及び前記係合受け部にまで及ぶ長さをもって延出形成され、前記両コネクタハウジングが正規嵌合した状態において、前記タブ状端子の先端と、前記タブ状端子挿通路の奥壁とは干渉しないようになっていることを特徴とする。
【０００８】
請求項２の発明は、請求項１に記載のものにおいて、前記係合部は前記雌側のコネクタハウジングの嵌合方向と略直交する方向に延びるアリ溝であり、前記係合受け部は前記アリ溝に嵌り込む突条であることを特徴とする。
【０００９】
請求項３の発明は、請求項２に記載のものにおいて、互いに合体可能な前記ブロックのうち、一方のブロックには前記アリ溝に通じるようにアリ溝側タブ状端子挿通路が形成されており、他方のブロックには前記突条に突条側タブ状端子挿通路が形成されており、前記各ブロックが合体することで、前記アリ溝側タブ状端子挿通路と前記突条側タブ状端子挿通路とが連通して前記タブ状端子挿通路が形成されるようになっており、前記各ブロックには、前記各ブロックが合体した状態において、前記アリ溝側タブ状端子挿通路と、前記突条側タブ状端子挿通路とを整合させるための位置決め部が形成されていることを特徴とする。
【発明の効果】
【００１０】
＜請求項１の発明＞
請求項１の発明によれば、請求項１の発明によれば、分割式に形成された雌側のコネクタハウジングと、雄側のコネクタハウジングとを嵌合させると、タブ状端子のうちキャビティに対応する位置に配されたものは、キャビティ内に進入して端子金具と接続される。一方、タブ状端子のうち係合部又は係合受け部に対応する位置に配されたものは、係合部又は係合受け部にまで及んで形成されたタブ状端子挿通路に進入する。そして、このタブ状端子挿通路の奥壁と、タブ状端子の先端とは、両コネクタハウジングが正規嵌合したときに干渉しないようになっているから、雌側のコネクタハウジングが分割式である場合でも、両コネクタハウジングは正規嵌合可能になっている。
【００１１】
このように請求項１の発明によれば、雌側のコネクタハウジングが分割式である場合でも、雄側のコネクタハウジングには係合部又は係合受け部に対応する位置にタブ状端子を設けることができるから、雌側のコネクタハウジングが一体式又は分割式のいずれであっても、雄側のコネクタハウジングを共用できる。
【００１２】
＜請求項２の発明＞
請求項２の発明によれば、アリ溝は雌側のコネクタハウジングの嵌合方向に略直交する方向に延びて形成されているから、各ブロックは、互いに合体した状態において、雌側のコネクタハウジングの嵌合方向に関して相対的に変位することが規制されている。これにより、両コネクタハウジングを嵌合させたときに、雄側のコネクタハウジングが雌側のコネクタハウジングに対して嵌合方向前方から突き当たった場合でも、各ブロックが雌側のコネクタハウジングの嵌合方向にずれることを防止できる。
【００１３】
＜請求項３の発明＞
各ブロックが互いに位置ズレした状態で合体した場合、アリ溝側タブ状端子挿通路と、突条側タブ状端子挿通路とが整合しない状態になり、その結果、タブ状端子挿通路の内側壁の一部が内方に突出した状態になることが懸念される。この場合において両コネクタハウジングを嵌合すると、タブ状端子が、タブ状端子挿通路の内側壁のうち内方に突出した部分と干渉することが懸念される。
【００１４】
請求項３の発明によれば、各ブロックには位置決め部が形成されているから、各ブロックを合体させたときに、アリ溝側タブ状端子挿通路と、突条側タブ状端子挿通路とを整合させることができる。これにより、タブ状端子がタブ状端子挿通路の内側壁と干渉することを防止できる。
【発明を実施するための最良の形態】
【００１５】
本発明の一実施形態を図１ないし図１２を参照して説明する。本実施形態に係るコネクタは、互いに嵌合可能な雌ハウジング１０（本発明に係る一方のコネクタハウジングに該当）と、雄ハウジング１１（本発明に係る他方のコネクタハウジングに該当）とを備えて構成される。
【００１６】
雄ハウジング１１は、詳細には図示しないが、合成樹脂製であって、金属板を所定形状にプレス成形した後、曲げ形成してなるバスバー体１２が配設されてなる（図１０参照）。このバスバー体１２には、雄ハウジング１１の嵌合方向前方に突出する複数の雄タブ１３（本発明に係るタブ状端子に該当）が形成されており、この雄タブ１３は、後述する雌側端子金具１４と接続することで、雌側端子金具１４同士を短絡するようになっている。
【００１７】
雌ハウジング１０は合成樹脂製であって、幅方向（図１における左右方向であって、雌ハウジング１０の嵌合方向と交差する方向）に複数のブロック１５（本実施形態では２つ）に分割して形成されると共に合体可能に形成されており、いわゆる分割式とされる。図１における右側のブロック１５は第１ブロック１５Ａとされ、左側のブロック１５は第２ブロック１５Ｂとされる。両ブロック１５Ａ，１５Ｂが合体した状態においては、第１ブロック１５Ａの左側面と、第２ブロック１５Ｂの右側面とが、それぞれ両ブロック１５Ａ，１５Ｂ間の境界面となっている。各ブロック１５Ａ，１５Ｂには、前後方向（図１における紙面を貫通する方向であって、雌ハウジング１０の嵌合方向）に貫通する複数のキャビティ１６が、幅方向に並ぶと共に上下方向（図１における上下方向）に並んで（図示２段）形成されており、このキャビティ１６内に雌側端子金具１４が挿入されるようになっている。キャビティ１６の内壁には、雌側端子金具１４を抜け止め係止するためのランス３１が弾性撓み可能に突設されている。各ブロック１５Ａ，１５Ｂの上面のうち雌ハウジング１０の嵌合方向後部側には、上方に開口すると共に各キャビティ１６にまで連通する深さのリテーナ挿入孔１７が形成されており、このリテーナ挿入孔１７内にリテーナ１８が挿入されることで、リテーナ１８は雌側端子金具１４に対してランス３１と共に二重係止するようになっている（図５及び図９参照）。
【００１８】
第１ブロック１５Ａの左側面のうち、前部側には、図１における右方に引っ込んで形成されると共に、上下方向（雌ハウジング１０の嵌合方向と略直交する方向）に延びるアリ溝１９（本発明に係る係合部に該当）が形成されている。第１ブロック１５Ａには、その左側面（第２ブロック１５Ｂとの境界面）であって、且つ、その前面（雄ハウジング１１との嵌合面）から、雌ハウジング１０の嵌合方向後方に向かって延びるアリ溝側タブ状端子挿通路２０が上下に並んで２つ形成されている。このアリ溝側タブ状端子挿通路２０は、アリ溝１９に通じるように延びている。このアリ溝側タブ状端子挿通路２０は雄タブ１３が進入可能になっており、アリ溝側タブ状端子挿通路２０の前側の開口には、雄タブ１３を誘導するためのテーパ面２１Ａが形成されている。アリ溝１９を構成する壁部のうち後ろ側に位置する後壁部２２は、第１ブロック１５Ａの下端部から上方に向かって切り欠かれており、後述する第２ブロック１５Ｂの当接壁部２３と当接するようになっている。
【００１９】
第１ブロック１５Ａの左側面のうち、後端部寄りであって且つ下端部寄りの位置には、後述する係合突起２４（本発明に係る位置決め部に該当）と係合する係合突起受け部２５（本発明に係る位置決め部に該当）が、図１における右方に引っ込んで形成されている。第１ブロック１５Ａの左側面のうち係合突起受け部２５よりも下方の壁面には、壁面の下縁部から上方に向かってテーパ面２６Ａが形成されており、係合突起２４が乗り上がりやすくなっている。
【００２０】
第２ブロック１５Ｂの右側面のうち、前部側であって、且つ、上述のアリ溝１９に対応する位置には、図１における右方に突出すると共に、アリ溝１９に嵌合可能な突条２７（本発明に係る係合受け部に該当）が形成されている（図４参照）。突条２７には、前後方向に延びる突条側タブ状端子挿通路２８が上下に並んで形成されており、この突条側タブ状端子挿通路２８に雄タブ１３が進入可能になっている。突条側タブ状端子挿通路２８の奥壁３０は、両ブロック１５Ａ，１５Ｂが正規位置に合体した状態で、両ハウジング１０，１１が正規嵌合したときに、雄タブ１３の先端が干渉しないように設定されている。突条２７の下端部には、後方に突出する当接壁部２３が形成されており、この当接壁部２３の上面に、上述した第１ブロック１５Ａの後壁部２２の下端面が上方から当接することで、第１ブロック１５Ａが下方に変位するのを規制するようになっている。第２ブロック１５Ｂの右側面（第１ブロック１５Ａとの境界面）の前端縁であって、且つ、第１ブロック１５Ａのアリ溝側タブ状端子挿通路２０と対応する位置には、雄タブ１３を誘導するためのテーパ面２１Ｂが形成されている。
【００２１】
第２ブロック１５Ｂの右側面のうち、後端部寄りであって、且つ、第１ブロック１５Ａの係合突起受け部２５と対応する位置には、図１における右方に突出する係合突起２４が形成されている。この係合突起２４の上面にはテーパ面２６Ｂが形成されており、係合突起受け部２５の下方の壁面を乗り越えやすくなっている。また、係合突起２４の下端面は第２ブロック１５Ｂの右側面に対して切り立って形成されており、この係合突起２４の下端面が係合突起受け部２５の下側面と上方から当接することで、第１ブロック１５Ａが上方に変位するのを規制するようになっている。
【００２２】
第１ブロック１５Ａと第２ブロック１５Ｂとは、第１ブロック１５Ａを第２ブロック１５Ｂに対して上方からスライドさせて、アリ溝１９内に突条２７を嵌り込ませることで合体可能になっている。第１及び第２ブロック１５Ａ，１５Ｂが正規位置で合体した状態では、第１ブロック１５Ａの後壁部２２の下面が第２ブロック１５Ｂの当接壁部２３の上面と、上方から当接することで第１ブロック１５Ａが下方に変位するのが規制されており、且つ、第２ブロック１５Ｂの係合突起２４の下端面が、第１ブロック１５Ａの係合突起受け部２５の下側面と上方から当接することで、第１ブロック１５Ａが上方に変位するのが規制されている。これにより、第１及び第２ブロック１５Ａ，１５Ｂは上下方向に位置決めされる。また、第１ブロック１５Ａに上下方向に延びて形成されたアリ溝１９内に、第２ブロック１５Ｂの突条２７が嵌り込むことで、第１ブロック１５Ａと第２ブロック１５Ｂとが、前後方向及び幅方向に位置ズレすることが規制されるようになっている。
【００２３】
第１及び第２ブロック１５Ａ，１５Ｂが正規位置で合体して雌ハウジング１０が形成された状態では、第１ブロック１５Ａに形成されたアリ溝側タブ状端子挿通路２０と、第２ブロック１５Ｂに形成された突条側タブ状端子挿通路２８とが連通するようになっており、雌ハウジング１０のうち雄ハウジング１１との嵌合面であって、且つ、第１及び第２ハウジングの境界面から後方に向かって延びるタブ状端子挿通路２９が、アリ溝１９及び突条２７にまで及んで形成されるようになっている。上述した係合突起２４及び係合突起受け部２５が係合することで、アリ溝側タブ状端子挿通路２０と、突条側タブ状端子挿通路２８とは整合するようになっている。図６に示すように、第１及び第２ブロック１５Ａ，１５Ｂが正規位置で合体した状態では、第１及び第２ブロック１５Ａ，１５Ｂに形成されたキャビティ１６列は、幅方向に並ぶようになっている。この状態で、タブ状端子挿通路２９は上下に並ぶと共に、それぞれのタブ状端子挿通路２９は、上段及び下段の各キャビティ１６列と幅方向に整合して位置するようになっている。
【００２４】
雄ハウジング１１は、第１及び第２ブロック１５Ａ，１５Ｂを合体させることで形成された分割式の雌ハウジング１０と嵌合可能になっていると共に、一体式の雌ハウジング４０とも嵌合可能になっている。図１２に、本実施形態に係る分割式の雌ハウジング１０と対比するために、一体式の雌ハウジング４０を示す。一体式の雌ハウジング４０は、合成樹脂製であって、雌側端子金具１４を収容するための複数のキャビティ１６が前後方向に貫通して形成されており、このキャビティ１６は、幅方向に並ぶと共に上下方向に並んで（図示２段）形成されている。
【００２５】
雄ハウジング１１は、一体式の雌ハウジング４０と正規嵌合した状態では、全てのキャビティ１６に雄タブ１３が挿入されるようになっている。
【００２６】
一方、雄ハウジング１１と、分割式の雌ハウジング１０とが嵌合すると、雄タブ１３のうちキャビティ１６に対応する位置に配されたものは、各キャビティ１６内に挿入されて、雌側端子金具１４と接触して電気的に接続するようになっている。一方、雄タブ１３のうちタブ状端子挿通路２９に対応する位置に配されたものは、タブ状端子挿通路２９内に進入するようになっている。両ハウジング１０，１１が正規嵌合した状態において、タブ状端子挿通路２９の奥壁３０は、雄タブ１３の先端と干渉しないように形成されている。なお、分割式の雌ハウジング１０には、一体式の雌ハウジング４０において、上段のキャビティ列のうち図１における左から７つ目のキャビティと、下段のキャビティ列のうち左から８つ目のキャビティに対応する位置に、タブ状端子挿通路２９が形成されるようになっている。
【００２７】
続いて、本実施形態の作用、効果について説明する。まず、雌ハウジング１０の組み付け作業について説明する。図１において、第２ブロック１５Ｂの右斜め上方に第１ブロック１５Ａを配し、第１ブロック１５Ａの左側面と第２ブロック１５Ｂの右側面とが摺接するようにして、第１ブロック１５Ａを下方にスライドさせる。このとき、第１ブロック１５Ａのアリ溝１９内に第２ブロック１５Ｂの突条２７が嵌り込むようにする。第１ブロック１５Ａを更に下方に押し込でスライドさせると、第１ブロック１５Ａはアリ溝１９に案内されて下方に変位し、第２ブロック１５Ｂの係合突起２４が、第１ブロック１５Ａの右側面の下端縁と、下方から当接する。すると、第２ブロック１５Ｂの係合突起２４及び第１ブロック１５Ａの右側面の下端縁に形成されたテーパ面２６Ａ，２６Ｂが摺接して、係合突起２４が第１ブロック１５Ａの右側面に乗り上げる。更に第１ブロック１５Ａを下方に押し込むと、係合突起２４が係合突起受け部２５内に嵌り込む。すると、係合突起２４の下端面が係合突起受け部２５の下側面に上方から当接することで、第１ブロック１５Ａが上方へ変位するのを規制する。また、第１ブロック１５Ａの後部壁の下面が第２ブロック１５Ｂの当接壁部２３の上面と上方から当接することで第１ブロック１５Ａが下方に変位することが規制される。そして、上下に延びるアリ溝１９内に突条２７が嵌り込むことで、第１及び第２ブロック１５Ａ，１５Ｂは、前後方向及び幅方向への変位が規制される。これにより、第１及び第２ブロック１５Ａ，１５Ｂは位置決めされた状態で組み付けられ、分割式の雌ハウジング１０が形成される。
【００２８】
本実施形態における雌ハウジング１０では、アリ溝１９及び突条２７が形成された領域には、雌側端子金具１４を挿入するためのキャビティ１６を形成できないので、アリ溝１９及び突条２７が形成された領域に対応する雄タブ１３は、雌ハウジング１０の前面に突き当たってしまい、両ハウジング１０，１１が嵌合できなくなることが懸念される。両ハウジング１０，１１を嵌合させようとすると、アリ溝１９及び突条２７が形成された領域に対応する位置に雄タブ１３を形成しないようにすればよいとも思える。しかしこの構成によると、雄ハウジング１１が分割式の雌ハウジング１０に専用化してしまい、一体式の雌ハウジング４０に対して雄ハウジング１１を共用化できないことが懸念される。
【００２９】
上記の点に鑑み、本実施形態に係る雌ハウジング１０においては、第１及び第２ブロック１５Ａ，１５Ｂの境界面であって、且つ、雄ハウジング１１との嵌合面から、後方に向かって、タブ状端子挿通路２９が、アリ溝１９及び突条２７に及んで形成されるようになっている。これにより、雌ハウジング１０の前方から、雄ハウジング１１を嵌合させると、雄タブ１３のうちキャビティ１６に対応する位置に配されたものは、キャビティ１６内に進入して雌側端子金具１４と接続される一方、雄タブ１３のうちアリ溝１９及び突条２７に対応する位置に配されたものは、タブ状端子挿通路２９に進入することで雌ハウジング１０と干渉しないようになっている。この結果、分割式の雌ハウジング１０に対して、アリ溝１９及び突条２７が形成された領域に対応する位置に雄タブ１３を形成できるから、一体式に形成された雌ハウジング４０及び分割式に形成された雌ハウジング１０の双方に対して、雄ハウジング１１を共用できる。分割式の雌ハウジング１０と雄ハウジング１１とが正規嵌合した状態では、雄タブ１３は、タブ状端子挿通路２９の開口縁に形成されたテーパ面２１Ａ，２１Ｂに誘導されるようになっている。
【００３０】
また、各ブロック１５Ａ，１５Ｂが互いに位置ズレした状態で合体した場合、アリ溝側タブ状端子挿通路２０と、突条側タブ状端子挿通路２８とが整合しない状態になり、その結果、タブ状端子挿通路２９の内側壁の一部が内方に突出した状態になることが懸念される。この場合において両ハウジング１０，１１を嵌合すると、雄タブ１３が、タブ状端子挿通路２９の内側壁のうち内方に突出した部分と干渉することが懸念される。
【００３１】
上記の点に鑑み、本実施形態においては、第１ブロック１５Ａには係合突起受け部２５が形成されており、第２ブロックには係合突起２４が形成されているから、各ブロック１５Ａ，１５Ｂを合体させたときに、アリ溝側タブ状端子挿通路２０と、突条側タブ状端子挿通路２８とを整合させることができる。これにより、雄タブ１３がタブ状端子挿通路２９の内側壁と干渉することを防止できる。
【００３２】
さらに、本実施形態においては、アリ溝１９は雌ハウジング１０の嵌合方向に略直交する方向に延びて形成されているから、各ブロック１５Ａ，１５Ｂは、互いに合体した状態において、雌ハウジング１０の嵌合方向に相対的に変位しないようになっている。これにより、両ハウジング１０，１１を嵌合させたときに、雄ハウジング１１が雌ハウジング１０に対して嵌合方向前方から突き当たった場合でも、各ブロック１５Ａ，１５Ｂが雌ハウジング１０の嵌合方向にずれることを防止できる。
【００３３】
＜他の実施形態＞
本発明は上記記述及び図面によって説明した実施形態に限定されるものではなく、例えば次のような実施形態も本発明の技術的範囲に含まれる。
【００３４】
（１）本実施形態では、各ブロック１５Ａ，１５Ｂ同士は上下方向からスライドさせて合体させる構成としたが、これに限られず、アリ溝１９及び突条２７を幅方向に延びるように形成し、各ブロック１５Ａ，１５Ｂ同士を幅方向からスライドさせて合体させる構成としてもよく、雄ハウジング１１と雌ハウジング１０との嵌合方向に対して略直交する方向であれば、任意の方向からスライドさせて合体させることができる。
また、各ブロック１５Ａ，１５Ｂが前後方向に位置ズレしないように、例えば各ブロック１５Ａ，１５Ｂに係合部又は係合受け部を設ける構成とした場合には、アリ溝１９及び突条２７を前後方向に延びるように形成し、各ブロック１５Ａ，１５Ｂ同士を前後方向からスライドさせて合体させる構成としてもよい。
【００３５】
（２）本実施形態では、係合部をアリ溝１９とし、係合受け部を突条２７としたが、これに限られず、係合部が係止爪で、係合受け部が係止爪と弾性的に係合可能な受け部としてもよい。
【００３６】
（３）本実施形態では、雄ハウジング１１には雄タブ１３を備えたバスバー体１２が配される構成としたが、これに限られず、雄タブ１３を備えた雄側端子金具が配される構成としてもよい。
【００３７】
（４）本実施形態では、雌ハウジング１０は２つのブロック１５に分割される構成としたが、これに限られず、３つ以上のブロック１５に分割される構成としてもよい。
雌ハウジング１０が３つ以上のブロック１５に分割される構成とした場合、各ブロック１５のうち組み付け方向の両外端に位置するブロック１５と異なるブロック１５において、各ブロックにはブロック１５同士の境界面のうち一方にはアリ溝１９が形成されており他方には突条２７が形成されたものが並んで合体する構成としてもよいし、また、各ブロック１５にはブロック１５同士の境界面の双方にアリ溝１９が形成されるものと、ブロック１５同士の境界面の双方に突条２７が形成されるものとが交互に並んで合体する構成としてもよい。
【図面の簡単な説明】
【００３８】
【図１】本発明の一実施形態に係るコネクタにおける雌ハウジングを構成する第１及び第２ブロックが合体する前の状態を示す正面図
【図２】第１ブロックの側面図
【図３】第２ブロックの側面図
【図４】第１及び第２ブロックの一部拡大斜視図
【図５】第１及び第２ブロックが合体する前の状態を示す平面図
【図６】第１及び第２ブロックが合体した状態を示す正面図
【図７】第１及び第２ブロックが合体した状態を示す平面図
【図８】図７におけるＡ−Ａ線断面図
【図９】雌ハウジングにリテーナが装着された状態を示す平面図
【図１０】雄ハウジングと、雌ハウジングとの嵌合前の状態を示す一部拡大断面図
【図１１】雄ハウジングと、雌ハウジングとが嵌合した後の状態を示す一部拡大断面図
【図１２】一体式の雌ハウジングの平面図
【符号の説明】
【００３９】
１０…雌ハウジング（一方のコネクタハウジング）
１１…雄ハウジング（他方のコネクタハウジング）
１３…雄タブ（タブ状端子）
１５Ａ（１５）…第１ブロック
１５Ｂ（１５）…第２ブロック
１４…雌側端子金具
１６…キャビティ
１９…アリ溝（係合部）
２０…アリ溝側タブ状端子挿通路
２４…係合突起（位置決め部）
２５…係合突起受け部（位置決め部）
２７…突条（係合受け部）
２８…突条側タブ状端子挿通路
２９…タブ状端子挿通路
【図１】
0004770491.tif 000002
【図２】
0004770491.tif 000003
【図３】
0004770491.tif 000004
【図４】
0004770491.tif 000005
【図５】
0004770491.tif 000006
【図６】
0004770491.tif 000007
【図７】
0004770491.tif 000008
【図８】
0004770491.tif 000009
【図９】
0004770491.tif 000010
【図１０】
0004770491.tif 000011
【図１１】
0004770491.tif 000012
【図１２】
0004770491.tif 000013